(57)【要約】【課題】  様々な意味を持って行われる間接コミュニケーション行動の蓄積データから反応行為、返答行為、注目行為、共通体験行為という４種類の要素を抽出でき、分析に要する作業量コスト、時間コストを削減可する。【解決手段】  本発明は、入力された間接コミュニケーション記録群に記録されている行動を参照行動、登録行動、参加行動に分類し、分類情報を用いて、記録群に記録されている行動の意義を、反応行為、返答行為、注目行為、共通体験行為の何れかに、または、複数に該当することを判定、あるいは、いずれにも該当しないことを判定し、反応行為と判定した行動に関する記録を反応行為データとし、返答行為と判定した行動に関する記録を返答行為データ、注目行為データと判定した行動に関する記録を注目行為データとし、共通体験行為と判定した行動に関する記録を共通体験行為データとして出力する。【選択図】  図１
2010238113.tif 000002
【特許請求の範囲】
【請求項１】
ネットワーク上において、ユーザ間で、文章、写真、映像、ソフトウェアを含むコンテンツの送受信を行わない形態のコミュニケーションである間接コミュニケーション行動の行動意義判定装置であって、
間接コミュニケーションに関する記録である間接コミュニケーション記録群が入力されると、該記録群に記録されている行動を参照行動、登録行動、参加行動に分類する間接コミュニケーション行動記録種別判別手段と、
前記間接コミュニケーション行動記録種別判別手段で分類された情報を用いて、前記記録群に記録されている行動の意義を、反応行為、返答行為、注目行為、共通体験行為の何れかに、または、複数に該当することを判定、あるいは、いずれにも該当しないことを判定する間接コミュニケーション行動意義判定手段と、
前記反応行為と判定した行動に関する記録を反応行為データとし、返答行為と判定した行動に関する記録を返答行為データ、注目行為データと判定した行動に関する記録を注目行為データとし、共通体験行為と判定した行動に関する記録を共通体験行為データとして出力する出力手段と、
を有することを特徴とする間接コミュニケーション行動の行動意義判定装置。
【請求項２】
前記間接コミュニケーション行動意義判定手段は、
参照行動、登録行動が反応行為かを判定する反応行為判定手段と、
参照行動、登録行動が返答行為かを判定する返答行為判定手段と、
参照行動、登録行動が注目行為かを判定する注目行為判定手段と、
参照行動、登録行動、参加行動が共通体験行動かを判定する共通体験行動判定手段と、
を含む請求項１記載の間接コミュニケーション行動の行動意義判定装置。
【請求項３】
前記反応行為判定手段は、
ユーザＡが、文章、写真、映像、ソフトウェアを含むコンテンツを、ユーザＢを含む２人以上のユーザ達が閲覧できる環境に掲載した後、該ユーザＢが、ユーザＡが気付くことのできる手段で、該コンテンツに対して参照行動、あるいは、登録行動を行う場合の、該ユーザＢの行為を反応行為と判定する
請求項２記載の間接コミュニケーション行動の行動意義判定装置。
【請求項４】
前記返答行為判定手段は、
ユーザＡが、ユーザＢが気付くことのできる手段で、該ユーザＢが掲載した文章、写真、映像、ソフトウェアを含むコンテンツに対して、参照行動、あるいは、登録行動を行った後、該ユーザＢが、該ユーザＡが気付くことのできる手段で、該ユーザＡが掲載したコンテンツに対して、参照行動、あるいは、登録行動を行う場合の、該ユーザＢの行為を返答行為と判定する
請求項２記載の間接コミュニケーション行動の行動意義判定装置。
【請求項５】
前記注目行為判定手段は、
ユーザＡが、ユーザＢを含むユーザ達が閲覧できる環境に、文章、写真、映像、ソフトウェアを含むコンテンツを掲載した後、該ユーザＢが、該コンテンツに対して参照行動、あるいは、登録行動を行う場合の、該ユーザＢの行為を注目行為と判定する
請求項２記載の間接コミュニケーション行動の行動意義判定装置。
【請求項６】
前記共通体験行為判定手段は、
ユーザＡが、文章、写真、映像、ソフトウェアを含むあるコンテンツに対して、参照行動、あるいは、登録行動、あるいは、参加行動を行ったとき、１名以上の他のユーザ達も、該コンテンツに対して該ユーザＡと同じ行動を行う場合の、該ユーザＡと該他のユーザ達の行為をまとめて共通体験行為と判定する
請求項２記載の間接コミュニケーション行動の行動意義判定装置。
【請求項７】
請求項１乃至６のいずれか１項に記載の行動意義判定装置を構成する各手段としてコンピュータを機能させるための行動意義判定プログラム。
【発明の詳細な説明】
【技術分野】
【０００１】
本発明は、行動意義判定装置及びプログラムに係り、特に、ユーザ間でコンテンツ（文章、写真、映像、ソフトウェア等）の送受信を行わない形態のコミュニケーションである間接コミュニケーション行動の要素数圧縮及び行動意義を判定するための行動意義判定装置及びプログラムに関する。
【背景技術】
【０００２】
ネットワークインフラ・サービスの普及により、人々がネットワーク上でコミュニケーション行動を行う機会が増え、コミュニケーション行動の種類は多岐に亘っている。
【０００３】
多岐に亘るネットワーク上のコミュニケーション行動の中でも、本発明は間接コミュニケーション行動に関するものである。ここで、「間接コミュニケーション行動」とは、ユーザ間でコンテンツ（文章、写真、映像、ソフトウェア等）の送受信が直接行われないコミュニケーションのことであり、
（１）参照行動；
（２）登録行動；
（３）参加行動；
のことを指す。
【０００４】
（１）参照行動とは、あるユーザがネットワーク上に作成したコンテンツ（文章、写真、映像、ソフトウェア等）を閲覧すること、あるいは、他のユーザがネットワーク上に作成したコンテンツを自分がコンテンツを作成する際に参考にする行動である。
【０００５】
具体例としては、他のユーザが執筆したブログ記事を閲覧する、あるいは、該記事に自分が作成したブログ記事からハイパーリンクを張る、あるいは、該記事に自分が作成したブログ記事からトラックバックを送信する行動等が該当する。
【０００６】
（２）登録行動とは、あるユーザがネットワーク上に作成したコンテンツ（文書、写真、映像、ソフトウェア等）を非公開形式で登録すること、あるいは、公開形式で登録することである。
【０００７】
具体例としては、他のユーザが動画共有サイト（ClipLife（登録商標）：http://cliplife.jp等）上に公開した動画をＷｅｂブラウザにブックマークする、あるいは、他のユーザが執筆したブログ記事をソーシャルブックマークサービス（ｇｏｏブックマーク（登録商標）：http://bookmark.goo.ne.jp等）上に登録する、あるいは、他のユーザが作成したブログサイトが出力しているＲＳＳ（RDF Site Summary）フィードをＲＳＳリーダに登録する、あるいは、メールをくれたユーザをメーラのアドレス帳に登録する、あるいは、ソーシャルネットワーキングサービス（ｇｏｏホーム（登録商標）：http://home.goo.ne.jp等）上で他のユーザを友人登録する行動等が該当する。
【０００８】
（３）参加行動とは、複数のユーザが共同でコンテンツ（文章、写真、映像、ソフトウェア等）を編集する取り組みに関わること、あるいは、複数のユーザから構成されるコミュニティに参加することである。
【０００９】
具体例としては、オンライン共同執筆文書（Wikipedia（登録商標）：http://www.wikipedia.org等）に項目を追加する、あるいは、オープンソースソフトウェア（PostgreSQL（登録商標）：http://www.postgresql.org等）の開発に参加する、あるいは、ソーシャルネットワーキングサービス（ｇｏｏホーム（登録商標）等）上で作成されたコミュニティに参加する行為等が該当する。
【００１０】
間接コミュニケーション行動を含むコミュニケーション行動を分析することへのニーズは高い。例えば、あるユーザがネットワーク上に記載した情報に対して、他のユーザが参照・コメント等を行うコミュニケーション行動を検出・分析し、その情報を元にユーザ間の親密度を算出している（例えば、特許文献１参照）。
【先行技術文献】
【特許文献】
【００１１】
【特許文献１】特開平１１−３０６１９３号公報
【発明の概要】
【発明が解決しようとする課題】
【００１２】
しかしながら、多くのユーザは、複数の間接コミュニケーションチャネルにおいて、様々な行動意識を持った間接コミュニケーション行動を実行している。そのため、該コミュニケーション手段群を提供しているシステム運営者等の間接コミュニケーション行動の分析者が、ユーザ達のコミュニケーション行動の分析作業を行う際に、分析に要する作業量コスト・時間コストが増大してしまう。また、各ユーザが、他のユーザの間接コミュニケーション行動の様子を十分に把握できず、間接コミュニケーションが円滑に進行しない。
【００１３】
例えば、ユーザＡとユーザＢの間に発生した間接コミュニケーション行動について考える。
【００１４】
（ア）ブログ記事ＵをユーザＡ・Ｂがそれぞれ閲覧し、
（イ）ブログ記事ＶをユーザＡ・Ｂがそれぞれソーシャルブックマークサービス上に登録し、
（ウ）ユーザＷをユーザＡ・Ｂがそれぞれソーシャルネットワーキングサービス内で友人登録し、
（エ）オンライン共同執筆文書の項目ＸにユーザＡ・Ｂがそれぞれ追記し、
（オ）オープンソースソフトウェアの機能Ｙの実装にユーザＡ・Ｂがそれぞれ関わり、
（カ）ソーシャルネットワーキングサービス内の一コミュニティＺにユーザＡ・Ｂがそれぞれ参加しているとする。
【００１５】
間接コミュニケーション行動の分析者は、ユーザＡとユーザＢの間に発生した間接コミュニケーションを分析するためには、（ア）（イ）（ウ）（エ）（オ）（カ）という６種類の異なる間接コミュニケーションチャネルで、様々な行動意義を持って行われた間接コミュニケーション行動を考慮しなければならず、分析に要する作業量コスト、時間コストが大きい。
【００１６】
また、ユーザＡ、または、ユーザＢ、または、他のユーザ達は、ユーザＡとユーザＢの間で行われた間接コミュニケーション行動の様子を容易に把握することができず、その結果、以後行う間接コミュニケーション行動が円滑に進まない可能性がある。
【００１７】
上記は問題を単純化した一例である。しかし、現実には各ユーザ間に非常に多くの種類のコミュニケーションチャネルが存在しており、さらに、各コミュニケーションチャネルにおける各行動にも様々な行動意義がある。
【００１８】
本発明は、上記の点に鑑みなされたもので、間接コミュニケーション行動のチャネル・意味が多すぎる問題及び、間接コミュニケーション行動の行動意義が不明瞭であるという問題を解決し、複数の間接コミュニケーションチャネルにおいて、様々な意味を持って行われる間接コミュニケーション行動の蓄積データから反応行為、返答行為、注目行為、共通体験行為という４種類の要素を抽出でき、分析に要する作業量コスト、時間コストを削減可能な行動意義判定装置及びプログラムを提供することを目的とする。
【課題を解決するための手段】
【００１９】
図１は、本発明の原理構成図である。
【００２０】
本発明（請求項１）は、ネットワーク上において、ユーザ間で、文章、写真、映像、ソフトウェアを含むコンテンツの送受信を行わない形態のコミュニケーションである間接コミュニケーション行動の行動意義判定装置であって、
間接コミュニケーションに関する記録である間接コミュニケーション記録群が入力されると、該記録群に記録されている行動を参照行動、登録行動、参加行動に分類する間接コミュニケーション行動記録種別判別手段１１と、
間接コミュニケーション行動記録種別判別手段１１で分類された情報を用いて、記録群に記録されている行動の意義を、反応行為、返答行為、注目行為、共通体験行為の何れかに、または、複数に該当することを判定、あるいは、いずれにも該当しないことを判定する間接コミュニケーション行動意義判定手段１２と、
反応行為と判定した行動に関する記録を反応行為データとし、返答行為と判定した行動に関する記録を返答行為データ、注目行為データと判定した行動に関する記録を注目行為データとし、共通体験行為と判定した行動に関する記録を共通体験行為データとして出力する出力手段１７と、を有する。
【００２１】
また、本発明（請求項２）は、間接コミュニケーション行動意義判定手段１２において、
参照行動、登録行動が反応行為かを判定する反応行為判定手段と、
参照行動、登録行動が返答行為かを判定する返答行為判定手段と、
参照行動、登録行動が注目行為かを判定する注目行為判定手段と、
参照行動、登録行動、参加行動が共通体験行動かを判定する共通体験行動判定手段と、
を含む。
【００２２】
また、本発明（請求項３）は、請求項２の反応行為判定手段において、
ユーザＡが、文章、写真、映像、ソフトウェアを含むコンテンツを、ユーザＢを含む２人以上のユーザ達が閲覧できる環境に掲載した後、該ユーザＢが、ユーザＡが気付くことのできる手段で、該コンテンツに対して参照行動、あるいは、登録行動を行う場合の、該ユーザＢの行為を反応行為と判定する。
【００２３】
また、本発明（請求項４）は、請求項２の返答行為判定手段において、
ユーザＡが、ユーザＢが気付くことのできる手段で、該ユーザＢが掲載した文章、写真、映像、ソフトウェアを含むコンテンツに対して、参照行動、あるいは、登録行動を行った後、該ユーザＢが、該ユーザＡが気付くことのできる手段で、該ユーザＡが掲載したコンテンツに対して、参照行動、あるいは、登録行動を行う場合の、該ユーザＢの行為を返答行為と判定する。
【００２４】
また、本発明（請求項５）は、請求項２の注目行為判定手段において、
ユーザＡが、ユーザＢを含むユーザ達が閲覧できる環境に、文章、写真、映像、ソフトウェアを含むコンテンツを掲載した後、該ユーザＢが、該コンテンツに対して参照行動、あるいは、登録行動を行う場合の、該ユーザＢの行為を注目行為と判定する。
【００２５】
また、本発明（請求項６）は、請求項２の共通体験行為判定手段において、
ユーザＡが、文章、写真、映像、ソフトウェアを含むあるコンテンツに対して、参照行動、あるいは、登録行動、あるいは、参加行動を行ったとき、１名以上の他のユーザ達も、該コンテンツに対して該ユーザＡと同じ行動を行う場合の、該ユーザＡと該他のユーザ達の行為をまとめて共通体験行為と判定する。
【００２６】
本発明（請求項７）は、請求項１乃至６のいずれか１項に記載の行動意義判定装置を構成する各手段としてコンピュータを機能させるための行動意義判定プログラムである。
【００２７】
図２は、本発明の原理を説明するための図である。
【００２８】
本発明は、入力ステップ（ステップ１）、
間接コミュニケーション行動記録種別判定ステップ（ステップ２）、
間接コミュニケーション行動意義判定ステップ（ステップ３）、
出力ステップ（ステップ４）を行う。
【００２９】
入力ステップ（ステップ１）では、間接コミュニケーション行動記録群の入力を受け付け、間接コミュニケーション行動記録種別判定ステップ（ステップ２）では、間接コミュニケーション行動記録群について、間接コミュニケーション行動記録の、間接コミュニケーション行動具体種別、間接コミュニケーション行動抽象種別を判定し、各間接コミュニケーション行動記録と関連付けて間接コミュニケーション行動意義判定ステップに渡す。間接コミュニケーション行動意義判定ステップ（ステップ３）では、間接コミュニケーション行動記録種別判定ステップ（ステップ２）から渡された間接コミュニケーション行動記録群を分析し、各間接コミュニケーション行動が持つ、あるいは、複数の間接コミュニケーション行動が合わされることで持つ、間接コミュニケーション行動意義（反応行為、返答行為、注目行為、共通体験行為）を判定し、出力ステップ（ステップ４）に渡す。
出力ステップ（ステップ４）では、間接コミュニケーション行動意義判定ステップ（ステップ３）から渡された間接コミュニケーション行動意義群を間接コミュニケーション行動意義データとして出力する。
【発明の効果】
【００３０】
上記のように本発明によれば、複数の間接コミュニケーションチャネルにおいて、様々な意味を持って行われる間接コミュニケーション行動の蓄積データから、反応行為、返答行為、注目行為、共通体験行為という４種類の要素を抽出することができる。
【００３１】
第１の効果としては、分析対象となる間接コミュニケーション行動の要素数を大幅に圧縮できるので、分析に要する作業量コスト、時間コストを削減することができる。
【００３２】
第２の効果としては、生データ（例えば、後述する図１０〜図１５の状態）では行動意義が不明瞭であった間接コミュニケーション行動を、反応行為、返答行為、注目行為、共通体験行為という要素として扱うことで、分析者の理解し易さが高まり、分析精度を向上させることができる。
【００３３】
第３の効果としては、生データ（例えば、後述する図１０〜図１５の状態）では行動意義が不明瞭であった間接コミュニケーション行動を、反応行為、返答行為、注目行為、共通体験行為という要素として扱うことで、各ユーザが、他のユーザが行う間接コミュニケーション行動の意図を明瞭に理解できるようになり、間接コミュニケーションが円滑に進むようになる。
【図面の簡単な説明】
【００３４】
【図１】本発明の原理構成図である。
【図２】本発明の原理を説明するための図である。
【図３】本発明の第１の実施の形態における行動意識判定装置の構成図である。
【図４】本発明の第１の実施の形態における間接コミュニケーション行動記録種別判定部の処理のフローチャートである。
【図５】本発明の第１の実施の形態における間接コミュニケーション行動意義判定部の概要処理のフローチャートである。
【図６】本発明の第１の実施の形態における反応行為データ判定部の処理のフローチャートである。
【図７】本発明の第１の実施の形態における返答行為データ判定部の処理のフローチャートである。
【図８】本発明の第１の実施の形態における注目行為データ判定部の処理のフローチャートである。
【図９】本発明の第１の実施の形態における共通体験行為データ判定部の処理のフローチャートである。
【図１０】本発明の第２・第３の実施の形態におけるあしあと付与記録のデータ構造である。
【図１１】本発明の第２・第３の実施の形態におけるハイパーリンク設置記録のデータ構造である。
【図１２】本発明の第２・第３の実施の形態におけるＲＳＳフィード登録記録のデータ構造である。
【図１３】本発明の第２・第３の実施の形態におけるソーシャルネットワーク友人登録記録のデータ構造である。
【図１４】本発明の第２・第３の実施の形態におけるオンライン共同執筆文書編集記録のデータ構造である。
【図１５】本発明の第２・第３の実施の形態におけるソーシャルネットワーク内コミュニティ参加記録のデータ構造である。
【図１６】本発明の第２・第３の実施の形態における行動意義判定装置の構成図である。
【図１７】本発明の第２・第３の実施の形態における間接コミュニケーション行動記録種別記憶部のデータ構造である。
【図１８】本発明の第２・第３の実施の形態におけるあしあと付与記録のデータ構造である。
【図１９】本発明の第２・第３の実施の形態におけるハイパーリンク設置記録のデータ構造である。
【図２０】本発明の第２・第３の実施の形態におけるＲＳＳフィード登録記録のデータ構造である。
【図２１】本発明の第２・第３の実施の形態におけるソーシャルネットワーク友人登録記録のデータ構造である。
【図２２】本発明の第２・第３の実施の形態におけるオンライン共同執筆文書編集記録のデータ構造である。
【図２３】本発明の第２・第３の実施の形態におけるソーシャルネットワーク内コミュニティ参加記録のデータ構造である。
【図２４】本発明の第２の実施の形態における反応行為データの構造（１）である。
【図２５】本発明の第２の実施の形態における反応行為データの構造（２）である。
【図２６】本発明の第２の実施の形態における返答行為データの構造（１）である。
【図２７】本発明の第２の実施の形態における返答行為データの構造（２）である。
【図２８】本発明の第２の実施の形態における注目行為データの構造（１）である。
【図２９】本発明の第２・第３の実施の形態における注目行為データの構造（２）である。
【図３０】本発明の第２の実施の形態における共通体験行為データの構造（１）である。
【図３１】本発明の第２・第３の実施の形態における共通体験行為データの構造（２）である。
【図３２】本発明の第２・第３の実施の形態における共通体験行為データの構造（３）である。
【図３３】本発明の第２の実施の形態における間接コミュニケーション行動意義記憶部で保持される反応行為データの構造である。
【図３４】本発明の第２の実施の形態における間接コミュニケーション行動意義記憶部で保持される返答行為データの構造である。
【図３５】本発明の第２の実施の形態における間接コミュニケーション行動意義記憶部で保持される注目行為データの構造である。
【図３６】本発明の第２の実施の形態における間接コミュニケーション行動意義記憶部で保持される共通体験行為データの構造である。
【図３７】本発明の第３の実施の形態におけるトラックバック送信記録のデータ構造である。
【図３８】本発明の第３の実施の形態におけるサイト更新記録のデータ構造である。
【図３９】本発明の第３の実施の形態におけるソーシャルネットワーク内トラックバック送信記録のデータ構造である。
【図４０】本発明の第３の実施の形態における反応行為データの構造（１）である。
【図４１】本発明の第３の実施の形態における反応行為データの構造（２）である。
【図４２】本発明の第３の実施の形態における返答行為データの構造（１）である。
【図４３】本発明の第３の実施の形態における返答行為データの構造（２）である。
【図４４】本発明の第３の実施の形態における注目行為のデータ構造（１）である。
【図４５】本発明の第３の実施の形態における共通体験行為のデータ構造（１）である。
【図４６】本発明の第３の実施の形態における間接コミュニケーション行動意義記憶部で保持される反応行為データの構造である。
【図４７】本発明の第３の実施の形態における間接コミュニケーション行動意義記憶部で保持される返答行為データの構造である。
【図４８】本発明の第３の実施の形態における間接コミュニケーション行動意義記憶部で保持される注目行為データの構造である。
【図４９】本発明の第３の実施の形態における間接コミュニケーション行動意義記憶部で保持される共通体験行為データの構造である。
【発明を実施するための形態】
【００３５】
以下、図面と共に本発明の実施の形態を説明する。
【００３６】
最初に本発明で用いる用語の説明を行う。
【００３７】
・間接コミュニケーション行動記録：間接コミュニケーション行動記録種別、間接コミュニケーション行動実行日時、間接コミュニケーション行動実行者、間接コミュニケーション行動対象、間接コミュニケーション行動対象作成者と、その他が関連付けられたものである。
【００３８】
「間接コミュニケーション行動記録」の具体例としては、
−アクセス記録；
−ハイパーリンク設置記録；
−あしあと付与記録（「あしあと」とは、主にソーシャルネットワーキングサービスが持つ機能の１つであり、他のユーザのサイトを訪れると、そのサイトに自分のあしあとを付与することになる）；
−トラックバック送信記録；
−ブラウザブックマーク登録記録；
−ソーシャルブックマーク登録記録；
−ＲＳＳフィード登録記録；
−メーラアドレス帳登録記録；
−ソーシャルネットワーク友人登録記録；
−オンライン共同執筆文書編集記録；
−オープンソースソフトウェア開発記録；
−ソーシャルネットワーク内コミュニティ参加記録
等が挙げられる。
【００３９】
「間接コミュニケーション行動記録」の中身の具体例としては、ブログホスティングサーバのアクセス記録の場合であれば、アクセス記録であることを示す情報（間接コミュニケーション行動記録種別）、アクセスが行われた日時（間接コミュニケーション行動実行日時）、アクセスをしたユーザＩＤ（間接コミュニケーション行動実行者）、アクセスの対象のブログ記事ＵＲＬ（間接コミュニケーション行動対象）、アクセスの対象のブログ記事を作成したユーザＩＤ（間接コミュニケーション行動対象作成者）を含む記録があげられる。
【００４０】
なお、本発明では、間接コミュニケーション行動実行者、及び、間接コミュニケーション行動対象作成者は、間接コミュニケーション行動記録群において一意に決定されるものであるとする。
【００４１】
・「間接コミュニケーション行動抽象種別」とは、参照行動、あるいは、登録行動、あるいは、参加行動のいずれかである。
【００４２】
・「間接コミュニケーション行動具体種別」とは、間接コミュニケーション行動記録が表している具体的な行動のことである。間接コミュニケーション行動具体種別の具体例としては、
−アクセス；
−ハイパーリンク設置；
−あしあと付与；
−トラックバック送信；
−ブラウザブックマーク登録；
−ソーシャルブックマーク登録；
−ＲＳＳフィード登録記録；
−メーラアドレス帳登録記録；
−オンライン共同執筆文書編集；
−オープンソースソフトウェア開発；
−ソーシャルネットワーク内コミュニティ参加；
等が挙げられる。
【００４３】
・「間接コミュニケーション行動意義」とは、反応行為、返答行為、注目行為、共通体験行為を指す。「反応行為」とは、ユーザＡがコンテンツ（文章、写真、映像、ソフトウェア等）をユーザＢを含む２人以上のユーザ達が閲覧できる環境に掲載した後、ユーザＢがユーザＡが気付くことのできる手段で、該コンテンツに対して参照行動、あるいは、登録行動を行う場合の、ユーザＢの行為のことである。
【００４４】
「反応行為」の具体例としては、ユーザＡがブログ記事を投稿した後、ユーザＢが、該ブログ記事にトラックバックを送信する行為が挙げられる（大半のブログでは、ユーザＢがユーザＡのブログ記事にトラックバックを送信したことを、該ブログ記事上に表示されるトラックバック受信情報等によりユーザＡは知ることができる）。
【００４５】
別の具体例としては、ユーザＡがソーシャルネットワーキングサービス内で日記を投稿した後、ユーザＢが該日記にアクセスしてあしあとを付与する行為が挙げられる（大半のソーシャルネットワーキングサービスでは、ユーザＢがユーザＡのサイトにあしあとを付与したことを、あしあと一覧等の機能によりユーザＡは知ることができる）。
【００４６】
別の具体例としては、ユーザＡがブログ記事を投稿した後、ユーザＢが該ブログ記事をソーシャルブックマークサービス上で登録する行為があげられる（大半のソーシャルブックマークサービスでは、ユーザＢがユーザＡのブログ記事をソーシャルブックマークサービス上で登録したことを、ソーシャルブックマークサービスサイト内のブックマーク一覧等によりユーザＡは知ることができる）。
【００４７】
「返答行為」とは、ユーザＡがユーザＢが気付くことのできる手段で、ユーザＢが掲載したコンテンツ（文章、写真、映像、ソフトウェア等）に対して参照行動、あるいは、登録行動を行った後、ユーザＢがユーザＡが気付く手段で、ユーザＡが掲載したコンテンツに対して参照行動、あるいは、登録行動を行う場合の、ユーザＢの行為のことである。
【００４８】
「返答行為」の具体例としては、ユーザＡが自分が投稿したブログ記事Ａ１から、ユーザＢが投稿したブログ記事Ｂ１に対してトラックバックを送信した後、ユーザＢが、そのお返しとしてブログ記事Ｂ１からブログ記事Ａ１にトラックバックを送信する行為が挙げられる。
【００４９】
別の具体例としては、ユーザＡがソーシャルネットワーキングサービス内でユーザＢが投稿した日記にアクセスしてユーザＢのサイトにあしあとを付与した後、ユーザＢが、そのお返しとしてユーザＡのサイトを訪れてあしあとを付与する行為が挙げられる。
【００５０】
「注目行為」とは、ユーザＡがユーザＢを含むユーザ達が閲覧できるコンテンツ（文章、写真、映像、ソフトウェア等）を掲載した後、ユーザＢが該コンテンツに対して参照行動、あるいは、登録行動を行う場合の、ユーザＢの行為のことである。
【００５１】
「注目行為」の具体例としては、ユーザＡがブログ記事を投稿した後、ユーザＢが該ブログ記事を閲覧、あるいは、自分のウェブページから該ブログ記事へのハイパーリンクを設置、あるいは、該ブログ記事をＷｅｂブラウザのブックマークに登録する行為が挙げられる。
【００５２】
「共通体験行為」とは、ユーザＡがあるコンテンツ（文章、写真、映像、ソフトウェア等）に対して参照行動、あるいは、登録行動、あるいは、参加行動を行ったとき、ユーザＢも該コンテンツに対してユーザＡと同じ行動を行う場合のユーザＢの行為のことである。「共通体験行為」の具体例としては、「ユーザＡが動画共有サイト上の動画を閲覧した時、ユーザＢも該動画を閲覧」、あるいは、「ユーザＡがブログ記事をソーシャルブックマークサービス上で登録した時、ユーザＢも該ブログ記事をソーシャルブックマークサービス上で登録」、あるいは、「ユーザＡがオンライン共同執筆文書の項目に追記をした時、ユーザＢも該項目に追記」、あるいは、「ユーザＡがソーシャルネットワーキングサービス内であるコミュニティに参加したとき、ユーザＢも該コミュニティに参加する」行為が挙げられる。
【００５３】
・「間接コミュニケーション行動意義データ」とは、反応行為データ、返答行為データ、注目行為データ、共通体験行為データからなる。
【００５４】
「反応行為データ」とは、
−反応行為者；
−被反応行為者；
−反応行為具体種別；
−反応行為実行日時；
−その他；
からなる。
【００５５】
「返答行為データ」とは、
−返答行為者；
−被返答行為者；
−返答行為対象；
−返答行為具体種別；
−返答行為実行日時；
−その他；
からなる。
【００５６】
「注目行為データ」は、
−注目行為者；
−被注目行為者；
−注目行為対象；
−注目行為具体種別；
−注目行為実行日時；
−その他；
からなる。
【００５７】
「共通体験行為データ」は、
−共通体験行為者群；
−共通体験行為対象；
−共通体験行為具体種別；
−その他；
からなる。
【００５８】
［第１の実施の形態］
図３は、本発明の第１の実施の形態における行動意義判定装置の構成図である。
【００５９】
同図に示す行動意義判定装置は、入力部１０、間接コミュニケーション行動記録種別判定部１１、間接コミュニケーション行動意義判定部１２、反応行為判定部１３、返答行為判定部１４、注目行為判定部１５、共通体験行為判定部１６、出力部１７、データ記憶部１８、間接コミュニケーション行動記録種別記憶部２０から構成される。
【００６０】
なお、上記の構成において、間接コミュニケーション行動意義判定部１２に、反応行為判定部１３、返答行為判定部１４、注目行為判定部１５、共通体験行為判定部１６を含む構成としてもよい。この場合は、データ記憶部１８を具備せずに、間接コミュニケーション行動意義判定部１２内のメモリに判定結果のデータを格納するものとする。
【００６１】
入力部１０は、間接コミュニケーション行動記録種別、間接コミュニケーション行動実行者、間接コミュニケーション行動対象、間接コミュニケーション行動対象作成者、間接コミュニケーション行動実行日時を含む間接コミュニケーション行動記録からなる間接コミュニケーション行動記録群の入力を受け付け、間接コミュニケーション行動記録種別判定部１１に渡す。
【００６２】
データ記憶部１８は、反応行為判定部１３、返答行為判定部１４、注目行為判定部１５、共通体験行為判定部１６の判定結果のデータを格納し、間接コミュニケーション行動意義判定部１２により読み出される。
【００６３】
間接コミュニケーション行動記録種別記憶部２０は、間接コミュニケーション行動記録種別と、間接コミュニケーション行動抽象種別と、間接コミュニケーション行動認識可能性が関連付けて格納された記憶媒体等であり、間接コミュニケーションン行動記録種別版部１１から間接コミュニケーション行動記録種別と、間接コミュニケーション行動抽象種別と、間接コミュニケーション行動認識可能性を問い合わせることができる。
【００６４】
なお、上記の「間接コミュニケーション行動認識可能性」とは、間接コミュニケーション行動実行者が間接コミュニケーション行動を実行したことを、間接コミュニケーション行動対象作成者が認識することができる「認識可能」、間接コミュニケーション行動対象作成者が認識することができない「認識不可」のいずれかである。但し、明示的な間接コミュニケーション行動対象作成者が存在しない場合は空値となる。例えば、大半のソーシャルネットワーキングサービスでは、サイトに対する「あしあと」送付は「認識可能」であり、ハイパーリンク設置は「認識不可」である場合が多い。また、例えば、大半のブログホスティングサービスでは、ブログ記事に対するトラックバック送信は「認識可能」であり、ブラウザブックマーク登録は「認識不可」である場合が多い。
【００６５】
以下に行動意義判定装置の各構成要素の動作について説明する。
【００６６】
＜間接コミュニケーション行動記録種別判定部＞
図４は、本発明の第１の実施の形態における間接コミュニケーション行動記録種別判定部の処理のフローチャートである。
【００６７】
間接コミュニケーション行動記録種別判定部１１は、入力部１０から渡された間接コミュニケーション行動記録群について間接コミュニケーション行動記録毎に間接コミュニケーション行動記録種別を用いて間接コミュニケーション行動記録種別記憶部２０に問い合わせを行う（ステップ１０１〜１０４）
問い合わせの結果取得した該間接コミュニケーション行動記録の間接コミュニケーションン行動記録種別版部１１から間接コミュニケーション行動記録種別と、間接コミュニケーション行動抽象種別と、間接コミュニケーション行動認識可能性を、該間接コミュニケーション行動記録と関連付ける（ステップ１０５）。
【００６８】
間接コミュニケーション行動記録群内の全ての間接コミュニケーション行動記録について上記処理が完了したら（ステップ１０３、Ｎｏ）、間接コミュニケーション行動記録群を間接コミュニケーション行動意義判定部１２に渡す。
【００６９】
＜間接コミュニケーション行動意義判定部＞
図５は、本発明の第１の実施の形態における間接コミュニケーション行動意義判定部の処理のフローチャートである。
【００７０】
間接コミュニケーション行動意義判定部１２は、間接コミュニケーション行動記録種別判定部１１から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、間接コミュニケーション行動抽象種別が「参照行動」、または、「登録行動」の場合は（ステップ２０２、Ｙｅｓ）、反応行為判定部１３、返答行為判定部１４、注目行為判定部１５、共通体験行為判定部１６に渡し（ステップ２０３）、間接コミュニケーション行動抽象種別が「参加行動」の場合は（ステップ２０４、Ｙｅｓ）、共通体験行為判定部１６に渡す（ステップ２０５）。
【００７１】
その結果、反応行為判定部１３によりデータ記憶部１８に格納されている反応行為に該当すると判定した間接コミュニケーション行動に関する記録群からなる反応行為データを取得し、返答行為判定部１４によりデータ記憶部１８に格納されている返答行為に該当すると判定した間接コミュニケーション行動に関する記録群からなる返答行為データを取得し、注目行為判定部１５によりデータ記憶部１８に格納されている注目行為に該当すると判定した間接コミュニケーションコミュニケーション行動に関する記録群からなる注目行為データを取得し、共通体験行為判定部１６によりデータ記憶部１８に格納されている共通体験行為に該当すると判定した間接コミュニケーション行動に関する記録群からなる共通体験行為データを取得し、この反応行為データ、返答行為データ、注目行為データ、共通体験行為データを出力部１７に渡す。
【００７２】
＜反応行為判定部＞
反応行為判定部１３は、間接コミュニケーション行動意義判定部１２から渡された間接コミュニケーション行動記録群について各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動可能性、間接コミュニケーション行動実行日時を図６に示すフローチャートの処理により分析し、各間接コミュニケーション行動が反応行為に該当するか判定を行い、反応行為に該当する間接コミュニケーション行動に関する情報を反応行為データとしてデータ記憶部１８に格納する。間接コミュニケーション行為意義判定部１２はデータ記憶部１８から反応行為データを読み出すものとする。
【００７３】
図６は、本発明の第１の実施の形態における反応行為判定部の処理のフローチャートである。反応行為判定部１３は、間接コミュニケーション行動記録群全Ｎ件を読み込み（ステップ３０１）、第ｉ番目の間接コミュニケーション行動記録Ｘ（ｉ）の間接コミュニケーション行動認識可能性が認識可能であるかを判定する（ステップ３０４）。可能である場合は（ステップ３０４、Ｙｅｓ）、Ｘ（ｉ）の間接コミュニケーション行動実行者FromＸ（ｉ）が間接コミュニケーション行動対象作成者、Ｘ（ｉ）の間接コミュニケーション行動対象作成者ToＸ（ｉ）が間接コミュニケーション行動実行者、Ｘ（ｉ）の間接コミュニケーション行動具体種別ActionＸ（ｉ）が間接コミュニケーション行動具体種別となり、かつ、間接コミュニケーション行動実行日時がＸ（ｉ）よりも古い間接コミュニケーション行動記録Y（ｉ）が存在しないかを判定する（ステップ３０５）、存在しない場合は、Ｙｅｓ（ステップ３０５）、Ｘ（ｉ）を反応行為と判定し、Ｘ（ｉ）の間接コミュニケーション行動実行者を「反応行為者」、間接コミュニケーション行動対象作成者を「被反応行為者」、間接コミュニケーション行動具体種別を「反応行為具体種別」、間接コミュニケーション行動実行日時を「反応行為実行日時」として１件の反応行為データとしてデータ記憶部１８に格納する（ステップ３０６）。この処理をN件繰り返す（ステップ３０７，３０３）
＜返答行為判定部＞
返答行為判定部１４は、間接コミュニケーション行動意義判定部１２から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を図７に示すフローチャートに基づいて分析し、各間接コミュニケーション行動が返答行為に該当するか判定を行い、返答行為に該当する間接コミュニケーション行動に関する情報を返答行為としてデータ記憶部１８に格納する。間接コミュニケーション行動意義判定部１２はデータ記憶部１から返答行為データを読み出すものとする。
【００７４】
図７は、本発明の第１の実施の形態における返答行為判定部の処理のフローチャートである。
【００７５】
返答行為判定部１４は、間接コミュニケーション行動記録群全Ｎ件を読み込み（ステップ４０１）、第ｉ番目の間接コミュニケーション行動記録Ｘ（ｉ）の間接コミュニケーション行動認識可能性が認識可能であるかを判定する（ステップ４０４）。可能である場合は、Ｘ（ｉ）の間接コミュニケーション行動実行者FromＸ（ｉ）が間接コミュニケーション行動対象作成者、Ｘ（ｉ）の間接コミュニケーション行動対象作成者ToＸ（ｉ）が間接コミュニケーション行動実行者、Ｘ（ｉ）の間接コミュニケーション行動具体種別ActionＸ（ｉ）が間接コミュニケーション行動具体種別となり、かつ、間接コミュニケーション行動実行日時がＸ（ｉ）よりも古い間接コミュニケーション行動記録Ｙ（ｉ）が存在するか（複数存在する場合は最新のものをＹ（ｉ）とする）を判定する（ステップ４０５）。存在する場合は（ステップ４０５、Ｙｅｓ）、FromＸ（ｉ）が間接コミュニケーション行動実行者、ToＸ（ｉ）が間接コミュニケーション行動対象作成者となり、かつ、間接コミュニケーション行動実行日時がＹ（ｉ）よりも新しく、Ｘ（ｉ）よりも古いものがないかを判定する（ステップ４０６）。ない場合は（ステップ４０６、Ｙｅｓ）、Ｘ（ｉ）を返答行為とし、Ｘ（ｉ）の間接コミュニケーション行動実行者を「返答行為者」、間接コミュニケーション行動対象作成者を「被返答行為者」、間接コミュニケーション行動対象を「返答行為対象」、間接コミュニケーション行動具体種別を「返答行為具体種別」、間接コミュニケーション行動実行日時を「返答行為実行日時」として１件の返答行為データとし、データ記憶部１８に格納する。この処理をＮ件繰り返す（ステップ４０８，４０３）。
【００７６】
＜注目判定部＞
注目判定部１５は、間接コミュニケーション行動意義判定部１２から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、図８に示すフローチャートに基づいて分析し、各間接コミュニケーション行動が注目行為に該当するか判定を行い、注目行為に該当する間接コミュニケーション行動に関する情報を注目行為データとしてデータ記憶部１８に格納する。間接コミュニケーション行動意義判定部１２はデータ記憶部１８から注目行為データを読み出すものとする。
【００７７】
図８は、本発明の第１の実施の形態における注目行為判定部の処理のフローチャートである。
【００７８】
間接コミュニケーション行動記録群全体Ｎを読み込み（ステップ５０１）、第ｉ番目の間接コミュニケーション行動記録Ｘ（ｉ）を注目行為と判定し、Ｘ（ｉ）の間接コミュニケーション行動実行者を「注目行為者」、間接コミュニケーション行動対象作成者を「被注目行為者」、間接コミュニケーション行動対象を「注目行為対象」、間接コミュニケーション行動具体種別を「注目行為具体種別」、間接コミュニケーション行動実行日時を「注目行為実行日時」として１件の注目行為データとしてデータ記憶部１８に格納する（ステップ５０４）。この処理をＮ件繰り返す（ステップ５０５、５０３）。
【００７９】
＜共通体験行為判定部＞
共通体験行為判定部１６は、間接コミュニケーション行動意義判定部１２から渡された間接コミュニケーション行動記録群について、各間接コミュニケーション行動記録に関連付けられた間接コミュニケーション行動具体種別、間接コミュニケーション行動実行者、間接コミュニケーション行動対象を、図９に示すフローチャートに基づいて分析し、各間接コミュニケーション行動が共通体験行為に該当するか判定を行い、共通体験行為に該当する間接コミュニケーション行動に関する情報を共通体験行為データとしてデータ記憶部１８に格納し、間接コミュニケーション行動意義判定部１２が当該データ記憶部１８に格納されている共通体験行為データを読み出すものとする。
【００８０】
図９は、本発明の第１の実施の形態における共通体験行為判定部の処理のフローチャートである。
【００８１】
共通体験行為判定部１６は、間接コミュニケーション行動記録群全Ｎ件を読み込み（ステップ６０１）、分析済みフラグが付与されていない間接コミュニケーション行動記録が２件以上残っているかを判定する（ステップ６０４）。残っていれば（ステップ６０４、Ｙｅｓ）、第ｉ番目の間接コミュニケーション行動記録Ｘ（ｉ）と間接コミュニケーション行動対象及び、間接コミュニケーション行動具体種別が同じ間接コミュニケーション行動記録群を抽出し、Ｘ（ｉ）と統合してGroupＸ（ｉ）とする（ステップ６０５）。次に、GroupＸ（ｉ）の間接コミュニケーション行動実行者群の中に異なる２以上の実行者が含まれているかを判定する（ステップ６０６）。含まれていれば（ステップ６０６、Ｙｅｓ）、GroupＸ（ｉ）を共通体験行為と判定し、GroupＸ（ｉ）の間接コミュニケーション行動実行者群（重複がある場合は重複分を削除）を「共通体験行為者群」、間接コミュニケーション行動対象を「共通体験行為対象」、間接コミュニケーション行動具体種別を「共通体験行為具体種別」として１件の共通体験行為データとしてデータ記憶部１８に格納する（ステップ６０７）。GroupＸ（ｉ）内の各間接コミュニケーション行動記録に分析済みフラグを付与する（ステップ６０８）。この処理をＮ件繰り返す（ステップ６０９，６０３）。
＜出力部＞
上記の図６〜図９の処理によりデータ記憶部１８に格納されタ各データを間接コミュニケーション行動意義判定部１２が読み出して、出力部１７に出力する。出力部１７は、間接コミュニケーションコミュニケーション行動意義判定部１２から渡された反応行為データ、返答行為データ、注目行為データ、共通体験行為データを出力する。
【００８２】
［第２の実施の形態］
本実施の形態では、組織内ソーシャルネットワーキングサービスに適用する場合を考える。
【００８３】
各ユーザは、該組織内ソーシャルネットワーキングサービス内において、以下の行動が可能である。
・自分のサイトを一つ持つこと；
・自分のサイト内には日記を複数掲載すること；
・自分の日記から他のユーザの日記にハイパーリンクを設置すること；
・他のユーザのサイト、及び、サイト内の日記を閲覧することができ（該サイトに「あしあと」が付与される）；
・他のユーザのサイトの更新情報ＲＳＳフィードをＲＳＳリーダに登録すること；
・他のユーザを自分の友人として登録すること；
・他のユーザと共同で編集すること；
・コミュニティに参加すること；
また、該組織内ソーシャルネットワーキングサービスを構築しているシステムから、図１０に示す全ユーザの「あしあと」付与記録、図１１に示すハイパーリンク設置記録、図１２に示すＲＳＳフィード登録記録、図１３に示すソーシャルネットワーク友人登録記録、図１４に示すオンライン共同執筆文書編集記録、図１５に示すソーシャルネットワーク内コミュニティ参加記録が取得できるものとする。
【００８４】
図１６は、本発明の第２・第３の実施の形態における行動意義判定装置の構成図である。
【００８５】
同図に示す行動意義判定装置は、入力部３０、間接コミュニケーション行動記録種別判定部３１、間接コミュニケーション行動意義判定部３２、反応行為判定部３３、返答行為判定部３４、注目行為判定部３５、共通体験行為判定部３６、出力部３７、データ記憶部３８、間接コミュニケーション行動記録種別記憶部４２、間接コミュニケーション行動意義記憶部４３から構成され、入力部３０には、入力用データ抽出装置４１が接続され、間接コミュニケーション行動意義記憶部４３には、問い合わせ用端末４４が接続されている。
【００８６】
入力用データ抽出装置４１に接続されている組織ソーシャルネットワーキングサービス実現システム４０は、該組織内ソーシャルネットワーキングサービスを実現しているシステムであり、全ユーザのデータが、外部から問い合わせ可能な形式で保持されている。
【００８７】
入力用データ抽出装置４１は、組織内ソーシャルネットワーキング実現システム４０に問い合わせを行い、図１０〜図１５の形式であしあと付与記録、ハイパーリンク設置記録、ＲＳＳフィード登録記録、ソーシャルネットワーク友人登録記録、オンライン共同執筆文書編集記録、ソーシャルネットワーク内コミュニティ参加記録を抽出し、入力部３０に渡す。
【００８８】
以下、行動意義判定装置の構成要素の処理について説明する。
【００８９】
＜入力部＞
入力部３０は、入力用データ抽出装置４１から、あしあと付与記録、ハイパーリンク設置記録、ＲＳＳフィード登録記録、ソーシャルネットワーク友人登録記録、オンライン共同執筆文書編集記録、ソーシャルネットワーク内コミュニティ参加記録の入力を受け付け、間接コミュニケーション行動記録種別判定部３１に渡す。
【００９０】
＜間接コミュニケーション行動記録種別判定部＞
間接コミュニケーション行動記録種別判定部３１は、図４に示すフローチャートに従って、入力部３０から渡された間接コミュニケーション行動記録群（あしあと付与記録、ハイパーリンク設置記録、ＲＳＳフィード登録記録、ソーシャルネットワーク友人登録記録、オンライン共同執筆編集記録、ソーシャルネットワーク内コミュニティ参加記録）について間接コミュニケーション行動記録毎に間接コミュニケーション行動記録種別を用いて図１７に示すデータ構造を持つ間接コミュニケーション行動記録種別記憶部４２に問い合わせを行う。
【００９１】
問い合わせの結果取得した該間接コミュニケーション行動記録の、間接コミュニケーション行動具体種別と、間接コミュニケーション行動抽象種別と、間接コミュニケーション行動認識可能性を、該間接コミュニケーション行動記録と図１８〜図２３のように関連付ける。なお、図１８〜図２３のＩＤは説明のために便宜上設けた値である。
【００９２】
間接コミュニケーション行動記録群内の全ての間接コミュニケーション行動記録について上記の処理が完了したら、間接コミュニケーション行動記録群を間接コミュニケーション行動意義判定部３２に渡す。
【００９３】
＜間接コミュニケーション行動意義判定部＞
間接コミュニケーション行動意義判定部３２は、間接コミュニケーション行動記録種別判定部３１から渡された間接コミュニケーション行動記録群について、図５に示すフローチャートに基づいて、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、間接コミュニケーション行動抽象種別が参照行動、または、登録行動の場合は反応行為判定部３３、返答行為判定部３４、注目行為判定部３５、共通体験行為判定部３６に渡し、間接コミュニケーション行動抽象種別が参加行動の場合は共通体験行為判定部３６に渡す。
【００９４】
その結果、反応行為判定部３３が反応行為に該当すると判定した間接コミュニケーション行動に関する記録群からなる反応行為データをデータ記憶部３８から取得し、返答行為判定部３４が返答行為に該当すると判定した間接コミュニケーション行動に関する記録群からなる返答行為データをデータ記憶部３８から取得し、注目行為判定部３５が注目行為に該当すると判定した間接コミュニケーション行動に関する記録群からなる注目行為データをデータ記憶部３８から取得し、共通体験行為判定部３６が共通体験行為に該当すると判定した間接コミュニケーション行動に関する記録群からなる共通体験行為データをデータ記憶部３８から取得し、この反応データ、返答行為データ、注目行為データ、共通体験行為データを出力部３７に渡す。
【００９５】
＜反応行為判定部＞
反応行為判定部３３は、間接コミュニケーション行動意義判定部３２から渡された間接コミュニケーション行動記録群について各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、図６に示すフローチャートに基づいて分析し、各間接コミュニケーション行動が反応行為に該当するか判定を行い、反応行為に該当する間接コミュニケーション行動に関する情報を反応行為データとしてデータ記憶部３８に格納する。
【００９６】
例えば、図１８のあしあと付与記録、図１９のハイパーリンク設置記録が入力として渡された場合、図２４に示すような反応行為データをデータ記憶部３８に格納する。具体的には、レコード１０１〜１０６、レコード２０１〜２０５が図６のフローチャートの処理によって分析され、ステップ３０４の条件により、レコード１０１〜１０６がＸ（ｉ）として抽出され、ステップ３０５の条件により、レコード１０１〜１０３が分析対象のＸ（ｉ）として残り、ステップ３０６の処理により、レコード１０１から１００１、レコード１０２から１００２、レコード１０３から１００３が作成される。
【００９７】
なお、図２４のＩＤは説明のため便宜上設けた値である。また、図２４の元ＩＤは、分析に利用した図１８、図１９の関連レコードのＩＤを示しており、説明のため便宜上設けた値である。
【００９８】
例えば、図２０のＲＳＳフィード登録記録、図２１のソーシャルネットワーク友人登録記録が入力として渡された場合、図２５に示すような反応行為データをデータ記憶部３８に格納する。
【００９９】
具体的には、レコード３０１〜３０５、レコード４０１〜４０５が図６のフローチャートの処理によって分析され、ステップ３０４の条件により、レコード４０１〜４０５がＸ（ｉ）として抽出され、ステップ３０５の条件により、レコード４０１〜４０３が分析対象のＸ（ｉ）として残り、ステップ３０６の処理により、レコード４０１から１４０１、レコード４０２から１４０２、レコード４０３から１４０３が作成される。
【０１００】
なお、図２５のＩＤは、説明のため便宜上設けた値である。また、図２５の元ＩＤは分析に利用した図２０、図２１の関連レコードのＩＤを示しており、説明のため便宜上設けた値である。
【０１０１】
＜返答行為判定部＞
間接コミュニケーション行動意義判定部３２から渡された間接コミュニケーション行動記録群について、各間接コミュニケーション行動記録に関連付けられた、間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、図７に示すフローチャートに基づいて分析し、各間接コミュニケーション行動が返答行為に該当するか判定を行い、返答行為に該当する間接コミュニケーション行動に関する情報を返答行為データとしてデータ記憶部３８に格納する。
【０１０２】
例えば、図１８のあしあと付与記録、図１９のハイパーリンク設置記録が入力として渡された場合、図２６に示すような返答行為データをデータ記録部３８に格納する。
【０１０３】
具体的には、レコード１０１〜１０６、レコード２０１〜２０５が図７のフローチャートの処理によって分析され、ステップ４０４の条件によりレコード１０１〜１０６がＸ（ｉ）として抽出され、ステップ４０５の条件によりレコード（１０４，１０１）、（１０５，１０２）、（１０６，１０１）が（Ｘ（ｉ），Ｙ（ｉ））として抽出され、ステップ４０６の条件により、レコード（１０４，１０１）、（１０５，２０２）が分析対象の（Ｘ（ｉ），Ｙ（ｉ））として残り、ステップ４０７の処理により、レコード（１０４，１０１）から１１０１、レコード（１０５，１０２）から１１０２が作成される。
【０１０４】
なお、図２６のＩＤは説明のため便宜上設けた値である。また、図２６の元ＩＤは分析に利用した図１８、図１９の関連レコードのＩＤを示しており、説明のため便宜的に設けた値である。
【０１０５】
例えば、図２０のＲＳＳフィード登録記録、図２１のソーシャルネットワーク友人登録記録が入力として渡された場合、図２７に示すような返答行為データをデータ記録部３８に格納する。
【０１０６】
具体的には、レコード３０１〜３０５、レコード４０１〜４０５が図７のフローチャートの処理によって分析され、ステップ４０４の条件により、レコード４０１〜４０５がＸ（ｉ）として抽出され、ステップ４０５の条件により、レコード（４０４，４０１）、（４０５，４０２）が（Ｘ（ｉ），Ｙ（ｉ））として抽出され、ステップ４０６の条件により、レコード（４０４，４０１）、（４０５，４０２）が分析対象の（Ｘ（ｉ），Ｙ（ｉ））として残り、ステップ４０７の処理によりレコード（４０４，４０１）から１５０１、レコード（４０５，４０２）から１５０２が作成される。
【０１０７】
なお、図２７のＩＤは説明のため便宜上設けた値である。また、図２６の元ＩＤは、分析に利用した図２０、図２１の関連レコードのＩＤを示しており、説明のため便宜上設けた値である。
【０１０８】
＜注目行為判定部＞
間接コミュニケーション行動意義判定部３２から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、図８に示すフローチャートの処理に基づいて分析し、各間接コミュニケーション行動が注目行為に該当するか判定を行い、注目行為に該当する間接コミュニケーション行動に関する情報を注目行為データとしてデータ記憶部３８に格納する。
【０１０９】
例えば、図１８のあしあと付与記録、図１９のハイパーリンク設置記録が入力として渡された場合、図２８に示すような注目行為データをデータ記憶部３８に格納する。
【０１１０】
具体的には、レコード１０１〜１０６、レコード２０１〜２０５が図８のフローチャートの処理によって分析され、ステップ５０４の処理により、レコード１０１〜１０６、２０１〜２０５がＸ（ｉ）として抽出・分析されて１２０１〜１２１１が作成される。なお、図２８のＩＤは説明のため便宜上設けた値である。また、図２８の元ＩＤは分析に利用した図１８，１９の関連レコードのＩＤを示しており、説明のため便宜上設けた値である。
【０１１１】
例えば、図２０のＲＳＳフィード登録記録、図２１のソーシャルネットワーク友人登録記録が入力として渡された場合、図２９に示すような注目行為データをデータ記憶部３８に格納する。
【０１１２】
具体的には、レコード３０１〜３０５、４０１〜４０５が図８のフローチャートの処理によって分析され、ステップ５０４により、レコード３０１〜３０５、４０１〜４０５がＸ（ｉ）として抽出・分析されて１６０１〜１６１０が作成される。
【０１１３】
なお、図２９のＩＤは説明のため便宜上設けた値である。また、図２９の元ＩＤは、分析に利用した図２０、図２１の関連レコードのＩＤを示しており、説明のため便宜上設けた値である。
【０１１４】
＜共通体験行為判定部＞
共通体験行為判定部３６は、間接コミュニケーション行動意義判定部３２から渡された間接コミュニケーション行動記録群について、各間接コミュニケーション行動記録に関連付けられた間接コミュニケーション行動具体種別、間接コミュニケーション行動実行者、間接コミュニケーション行動対象を、図９に示すフローチャートの処理に基づいて分析し、各間接コミュニケーション行動が共通体験行為に該当するか判定を行い、共通体験行為に該当する間接コミュニケーション行動に関する情報を共通体験行為データとしてデータ記憶部３８に格納する。
【０１１５】
例えば、図１８のあしあと付与記録、図１９のハイパーリンク設置記録が入力として渡された場合、図３０に示すような共通体験行為データをデータ記憶部３８に格納する。具体的には、レコード１０１〜１０６、２０１〜２０５が図９のフローチャートの処理によって分析され、ステップ６０４の処理により、レコード（１０１，１０２，１０３）、（１０４，１０６）、（２０１，２０２）がGroupＸ（ｉ）として抽出され、ステップ６０５の処理により、レコード（１０１，１０２，１０３）、（２０１，２０２）が分析対象のGroupＸ（ｉ）として残り、ステップ６０７の処理によりレコード（１０１，１０２，１０３）から１３０１、レコード（２０１、２０２）から１３０２が作成される。
【０１１６】
なお、図３０のＩＤは説明のため便宜上設けた値である。また、図３０の元ＩＤは、分析に利用した図１８、図１９の関連レコードのＩＤを示しており、説明のため便宜上設けた値である。
【０１１７】
例えば、図２０のＲＳＳのフィード登録記録、図２１のソーシャルネットワーク友人登録記録が入力として渡された場合、図３１に示すような共通体験行為データを間接コミュニケーション行動意義判定部３２に渡す。具体的には、レコード３０１〜３０５、４０１〜４０５が図９に示すフローチャートの処理によって分析され、ステップ６０５の処理により、レコード（３０１、３０２，３０３）、（４０１，４０２，４０３）がGroupＸ（ｉ）として抽出され、ステップ６０６の条件により、レコード（３０１，３０２，３０３）、（４０１，４０２，４０３）が分析対象のGroupＸ（ｉ）として残り、ステップ６０７の処理によりレコード（３０１，３０２，３０３）から１７０１、レコード（４０１，４０２，４０３）から１７０２が作成される。
【０１１８】
なお、図３１のＩＤは説明のため便宜上設けた値である。また、図３１の元ＩＤは、分析に利用した図２０、図２１の関連レコードのＩＤを示しており、説明のため便宜上設けた値である。
【０１１９】
例えば、図２２のオンライン共同文書編集記録、図２３のソーシャルネットワーク内コミュニティ参加記録が入力として渡された場合、図３２に示すような共同体験行為データを間接コミュニケーション行動意義判定部３２に渡す。
【０１２０】
具体的には、レコード５０１〜５０５、６０１〜６０５が図９のフローチャートの処理によって分析され、ステップ６０５の処理により、レコード（５０１，５０２，５０４，５０６）、（６０１，６０２，６０４）、（６０３，６０５）が分析対象のGroupＸ（ｉ）として残り、ステップ６０７の処理により、レコード（５０１，５０２，５０４（または５０６））から１８０１、レコード（６０１，６０２，６０４）から１８０２、レコード（６０３，６０５）から１８０３が作成される。
【０１２１】
なお、図３２のＩＤは説明のため便宜上設けた値である。また、図３０の元ＩＤは、分析に利用した図２２、図２３の関連レコードのＩＤを示しており、説明のため便宜上設けた値である。
【０１２２】
上記の処理により、間接コミュニケーション行動意義判定部３２は、データ記憶部３８から、反応行為判定部３３、返答行為判定部３４、注目行為判定部３５、共通体験行為判定部３６から出力された各データを取得する。
【０１２３】
出力部３７は、間接コミュニケーション行動意義判定部３２から渡された反応行為データ、返答行為データ、注目行為データ、共通体験行為データを間接コミュニケーション行動意義記憶部４３に渡す。
【０１２４】
間接コミュニケーション行動意義記憶部４３は、出力部３７から渡された反応行為データ、返答行為データ、注目行為データ、共通体験行為データを、図３３、図３４、図３５、図３６のように問い合わせ可能な形態で保持する。
【０１２５】
問い合わせ用端末４４は、間接コミュニケーション行動意義記憶部４３が保持している反応行為データ、返答行為データ、注目行為データ、共通体験行為データに対して、問い合わせを行うことができる。
【０１２６】
例えば、分析者やユーザが、BobがAliceに対して行った反応行為の回数を問い合わせると、間接コミュニケーション行動意義記憶部４３が保持している反応行為のデータ（図３３）の中で反応行為者がBob、被反応行為者がAliceとなっているレコード（１１０１，１４０１）の件数として、「２」を得る。
【０１２７】
また、例えば、分析者やユーザが、AliceがChrisに対して行った返答行為の回数を問い合わせると、間接コミュニケーション行動意義記憶部４３が保持している返答行為のデータ（図３４）の中で返答行為者がAlice、被返答行為者がChrisとなっているレコード（１１０２，１５０２）の件数として「２」を得る。
【０１２８】
また、例えば、分析者やユーザがBobに対して注目行為を行ったユーザ群を問い合わせると、間接コミュニケーション行動意義記憶部４３が保持している注目行為のデータ（図３５）の中で、被注目行為者がBobとなっているレコード（１２０４，１２０６，１２１０，１６０４，１６０９）の注目行為者群から、重複が排除されて「Alice」を得る。
【０１２９】
また、分析者やユーザが、Dickと２回以上共通体験行為を行ったことがあるユーザを問い合わせると、間接コミュニケーション行動意義記憶部４３が保持している共通体験行為のデータ（図３６）の中で共通体験行為者群にDickを含むレコード（１３０１，１７０１，１７０２，１８０３）の共通体験行為者群を集計して、共通体験行為者群の中にDick以外で２レコード以上に登場する「Bob、Chris」を得る。
【０１３０】
［第３の実施の形態］
本実施の形態では、特定の間接コミュニケーション行動具体種別に応じて処理に追加条件を設ける事例として、第２の実施の形態に変更を加えた場合の例を説明する。
【０１３１】
第２の実施の形態と同様に、該組織内ソーシャルネットワーキングサービスを構築しているシステムから、全ユーザのあしあと付与記録（図１０）、ハイパーリンク設置記録（図１１）、ＲＳＳフィード登録記録（図１２）、ソーシャルネットワーク友人登録記録（図１３）、オンライン共同執筆文書編集記録（図１４）、ソーシャルネットワーク内コミュニティ参加記録（図１５）が取得できるものとする。
【０１３２】
本実施の形態では、上記に加えて全ユーザの、トラックバック送信記録（図３７）、サイト更新記録（図３７）が入力部３０から取得できるものとする。
【０１３３】
図１０〜図１５とは異なり、トラックバックという行為においては、間接コミュニケーション行動実行元としてトラックバック送信元の日記を間接コミュニケーション行動実行元として取得できるものとする。
【０１３４】
また、サイト更新記録とは、各ユーザが最後に自分のサイト内に新規に日記を掲載、あるいは、掲載済みの日記を修正した日時の記録とする。
【０１３５】
本実施の形態の行動意義判定装置の構成は、第２の実施の形態と同じく、図１６のようになる。つまり、入力部３０、間接コミュニケーション行動記録種別判定部３１、間接コミュニケーション行動意義判定部３２、反応行為判定部３３、返答行為判定部３４、注目行為判定部３５、共通体験行為判定部３６、出力部３７、データ記憶部３８、間接コミュニケーション行動記録種別記憶部４２、間接コミュニケーション行動意義記憶部４３から構成され、入力部３０には、入力用データ抽出装置４１が接続され、間接コミュニケーション行動意義記憶部４３には、問い合わせ用端末４４が接続されている。
【０１３６】
組織内ソーシャルネットワーキングサービス実現システム４０は、第２の実施の形態と同様である。入力用データ抽出装置４１は、組織内ソーシャルネットワーキングサービス実現システム４０に問い合わせを行い、図１０〜図１５、図３６、図３８の形式で、あしあと付与記録、ハイパーリンク設置記録、ＲＳＳフィード登録記録、ソーシャルネットワーク友人登録記録、オンライン共同執筆文書編集記録、ソーシャルネットワーク内コミュニティ参加記録、トラックバック送信記録、サイト更新記録を抽出し、入力部３０に渡す。
【０１３７】
以下に、本実施の形態における行動意義判定装置の各構成要素について説明する。
【０１３８】
＜入力部＞
入力用データ抽出部４１から、あしあと付与記録、ハイパーリンク設置記録、ＲＳＳフィード登録記録、ソーシャルネットワーク友人登録記録、オンライン共同執筆文書編集記録、ソーシャルネットワーク内コミュニティ参加記録、トラックバック送信記録、サイト更新記録の入力を受け付け、間接コミュニケーション行動記録種別判定部３１に渡す。
【０１３９】
＜間接コミュニケーション行動記録種別判定部＞
間接コミュニケーション行動記録種別判定部３１は、図４に示すフローチャートに従って、入力部３０から渡された間接コミュニケーション行動記録群（あしあと付与記録、ハイパーリンク設置記録、ＲＳＳフィード登録記録、ソーシャルネットワーク友人登録記録、オンライン共同執筆文書編集記録、ソーシャルネットワーク内コミュニティ参加記録、トラックバック送信記録、サイト更新記録）について、間接コミュニケーション行動記録毎に、間接コミュニケーション行動記録種別を用いて、図１７に示すデータ構造を持つ間接コミュニケーション行動記録種別記憶部４２に問い合わせを行う。
【０１４０】
問い合わせの結果取得した該間接コミュニケーション行動記録の間接コミュニケーション行動具体種別と、間接コミュニケーション行動抽象種別と、間接コミュニケーション行動認識可能性を、該間接コミュニケーション行動記録と図１８〜図２３、図３９のように関連付ける。なお、図１８〜図２３、図３８のＩＤは説明のために便宜上設けた値である。
【０１４１】
間接コミュニケーション行動記録群内の全ての間接コミュニケーション行動記録について上記処理が完了したら、間接コミュニケーション行動記録群を間接コミュニケーション行動意義判定部３２に渡す。
【０１４２】
＜間接コミュニケーション行動意義判定部＞
間接コミュニケーション行動意義判定部３２は、間接コミュニケーション行動記録種別判定部３１から渡された間接コミュニケーション行動記録群について、図５に示すフローチャートに基づいて、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、間接コミュニケーション行動抽象種別が「参照行動」、または、「登録行動」の場合は、反応行為判定部３３、返答行為判定部３４、注目行為判定部３５、共通体験行為判定部３６に渡し、間接コミュニケーション行動抽象種別が「参加行動」の場合は、共同体験行為判定部３６に渡す。
【０１４３】
その結果、反応行為判定部３３によって反応行為に該当すると判定された間接コミュニケーション行動に関する記録群からなる反応行為データをデータ記憶部３８から取得し、返答行為判定部３４によって返答行為に該当すると判定された間接コミュニケーション行動に関する記録群からなる返答行為データをデータ記憶部３８から取得し、注目行為判定部３５によって注目行為に該当すると判定された間接コミュニケーション行動に関する記録群からなる注目行為データをデータ記憶部３８から受け取り、共通体験行為判定部３６によって共通体験行為に該当すると判定された間接コミュニケーション行動に関する記録群からなる共通体験行為データをデータ記憶部３８から取得する。そして、この反応行為データ、注目行為データ、共通体験行為データを出力部３７に渡す。
【０１４４】
＜反応行為判定部＞
反応行為判定部３３は、間接コミュニケーション行動意義判定部３2から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、また、間接コミュニケーション行動具体種別がトラックバック送信の場合は、加えて、間接コミュニケーション実行元を、以下の追加条件１），２），３）を設けた図６に示すフローチャートに基づいて分析し、各間接コミュニケーション行動が反応行為に該当するか判定を行い、反応行為に該当する間接コミュニケーション行動に関する情報を反応行為データとしてデータ記憶部３８に格納する。
【０１４５】
追加条件１）
図６のステップ３０５において、間接コミュニケーション行動具体種別があしあと付与の時、Ｙ（ｉ）が存在しても、Ｙ（ｉ）が実行されてからＴ時間以上経過した後に、Ｘ（ｉ）が実行された場合、あるいは、Ｙ（ｉ）が実行された日時とＸ（ｉ）が実行された日時の期間にToＸ（ｉ）のサイトのサイト更新日時がある場合であれば、ステップ３０６に進めるものとする。なお、サイト更新日時は、図３８のサイト更新記録におけるサイト更新日時から取得する。
【０１４６】
追加条件２）
図６のステップ３０５において、間接コミュニケーション行動具体種別がトラックバック送信のとき、Ｙ（ｉ）が存在しても、Ｙ（ｉ）によってブログ記事Ｙ１からブログ記事Ｘ１にトラックバックが送信され、Ｘ（ｉ）によってブログ記事Ｘ１からブログ記事Ｙ２にトラックバックが送信されるといったように、相互トラックバックの関係になっていない場合であれば、ステップ３０６に進めるものとする。なお、トラックバック送信元記事は、図３９のトラックバック送信記録における間接コミュニケーション行動実行元から取得する。
【０１４７】
追加条件３）
図６のステップ３０５において、間接コミュニケーション行動具体種別がソーシャルネットワーク内友人登録の時、Ｙ（ｉ）が存在しても、Ｙ（ｉ）が実行されてからＴ時間以上経過した後にＸ（ｉ）が実行された場合であれば、ステップ３０６に進めるものとする。
【０１４８】
例えば、図１８のあしあと付与記録、図１９のハイパーリンク設置記録、図３９のトラックバック送信記録、図３８のサイト更新記録が入力として渡された場合、図４０に示すような反応行為データをデータ記憶部３８に格納する。
【０１４９】
具体的には、レコード１０１〜１０６、２０１〜２０５、７０１〜７０５が図６のフローチャートの処理によって分析され、ステップ３０４により、レコード１０1〜１０６，７０１〜７０５がＸ（ｉ）として抽出され、ステップ３０５、追加条件１）２）により、レコード１０１〜１０３、１０４，１０６，７０１〜７０３、７０５が分析対象のＸ（ｉ）として残り、ステップ３０６により、レコード１０１から２００１、レコード１０２から２００２、レコード１０３から２００３、レコード１０４から２００４、レコード１０６から２００５、レコード７０１から２００６、レコード７０２から２００７、レコード７０３から２００８、レコード７０５から２００９が作成される。
【０１５０】
なお、図４０のＩＤは説明のため便宜上設けた値である。また、図４０の元ＩＤは、分析に利用した図１８、図１９、図３９の関連レコードのＩＤを示しており、説明のため便宜上設けた値である。
【０１５１】
例えば、図２０のＲＳＳフィード登録記録、図２１のソーシャルネットワーク友人登録記録が入力として渡された場合、図４１に示すような反応行為データをデータ記憶部３８に格納する。
【０１５２】
具体的には、レコード３０１〜３０５、４０１〜４０５が図５のフローチャートの処理によって分析され、ステップ３０４の条件により、レコード４０１〜４０５がＸ（ｉ）として抽出され、ステップ３０５の条件、追加条件３）によりレコード４０１〜４０４が分析対象のＸ（ｉ）として残り、ステップ３０６の処理により、レコード４０１から２４０１、レコード４０２から２４０２、レコード４０３から２４０３、レコード４０４から２４０４が作成される。
【０１５３】
なお、図４１のＩＤは説明のため便宜上設けた値である。また、図４１の元ＩＤは、分析に利用した図２０、図２１の関連レコードのＩＤを示しており、説明のため便宜上設けた値である。
【０１５４】
＜返答行為判定部＞
返答行為判定部３４は、間接コミュニケーション行動意義判定部３２から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、また、間接コミュニケーション行動具体種別がトラックバック送信の場合は、加えて、間接コミュニケーション行動実行先を、以下の追加条件４）、５）、６）を設けた図７に示すフローチャートに基づいて分析し、各間接コミュニケーション行動が返答行為に該当するか判定を行い、返答行為に該当する間接コミュニケーション行動に関する情報を返答行為としてデータ記憶部３８に格納する。
【０１５５】
追加条件４）
図７のステップ４０５の条件において、間接コミュニケーション行動具体種別があしあと付与の時、Ｙ（ｉ）が存在しても、Ｙ（ｉ）が実行されてからＴ時間未満の間にＸ（ｉ）が実行された場合、あるいは、Ｙ（ｉ）が実行された日時とＸ（ｉ）が実行された日時の期間にToＸ（ｉ）のサイトのサイト更新日時がない場合のみステップ４０６に進めるものとする。
【０１５６】
なお、サイト更新日時はず３８のサイト更新記録におけるサイト更新日時から取得する。
【０１５７】
追加条件５）
図７のステップ４０５の処理において、間接コミュニケーション行動具体種別がトアックバック送信のとき、Ｙ（ｉ）が存在しても、Ｙ（ｉ）によってブログ記事Ｙ１からブログ記事Ｘ１にトラックバックが送信され、Ｘ（ｉ）によってブログ記事Ｘ１からブログ記事Ｙ１にトラックバックが送信されるといったように、相互トラックバックの関係になった場合のみステップ４０６に進めるものとする。なお、トラックバック送信元記事は図３９のトラックバック送信記録における間接コミュニケーション行動実行元から取得する。
【０１５８】
追加条件６）
図７のステップ４０５において、間接コミュニケーション行動具体種別がソーシャルネットワーク内友人登録の時、Ｙ（ｉ）が存在しても、Ｙ（ｉ）が実行されてからＴ期間未満の間にＸ（ｉ）が実行された場合のみステップ４０６の条件に進めるものとする。
【０１５９】
例えば、図１８のあしあと付与記録、図１９のハイパーリンク設置記録、図３９のトラックバック送信記録、図３８のサイト更新記録が入力として渡された場合、図４２に示すような返答行為データをデータ記憶部３８に格納する。
【０１６０】
具体的には、レコード１０１〜１０６、レコード２０１〜２０５、レコード７０１〜７０５が図７のフローチャートの処理によって分析され、ステップ４０４の条件によりレコード１０１〜１０６、レコード７０１〜７０５がＸ（ｉ）として抽出され、ステップ４０６、追加条件４）、５）により、レコード（１０５，１０２）、（７０４，７０１）が（Ｘ（ｉ），Ｙ（ｉ））として抽出され、ステップ４０６の条件により、レコード（１０５，１０２）、（７０４，７０１）が分析対象の（Ｘ（ｉ），Ｙ（ｉ））として残り、ステップ４０７により、レコード（１０５，１０２）から２１０１、レコード（７０４，７０１）から２１０２が作成される。
【０１６１】
なお、図４２のＩＤは説明のため便宜上設けた値である。また、図４２の元ＩＤは、分析に利用した図１８、図１９、図３９の関連レコードのＩＤを示しており、説明のため便宜上設けた値である。
【０１６２】
例えば、図２０のＲＳＳフィード登録記録、図２１のソーシャルネットワーク友人登録記録が入力として渡された場合、図４３に示すような返答行為データをデータ記憶部３８に格納する。
【０１６３】
具体的には、レコード３０１〜３０５、レコード４０１〜４０５が図７のフローチャートによって分析され、ステップ４０４の条件により、レコード４０１〜４０５がＸ（ｉ）として抽出され、ステップ４０５の条件、追加条件６）により、レコード（４０５，４０２）が（Ｘ（ｉ），Ｙ（ｉ））として抽出され、ステップ４０６の処理によりレコード（４０５，４０２）から１５０１が作成される。
【０１６４】
なお、図４３のＩＤは説明のため便宜上設けた値である。また、図４３の元ＩＤは、分析に利用した図２０、図２１の関連レコードのＩＤを示しており、説明のため便宜上設けた値である。
【０１６５】
＜注目行為判定部＞
注目行為判定部３５は、間接コミュニケーション行動意義判定部３２から渡された間接コミュニケーション行動記録群について、各間接コミュニケーション行動記録に関連付けられた間接コミュニケーション行動具体種別、間接コミュニケーション行動実行者、間接コミュニケーション行動対象、間接コミュニケーション行動対象作成者、間接コミュニケーション行動認識可能性、間接コミュニケーション行動実行日時を、図８に示すフローチャートに基づいて分析し、各間接コミュニケーション行動が注目行為に該当するか判定を行い、注目行為に該当する間接コミュニケーション行動に関する情報を注目行為データとしてデータ記憶部３８に格納する。
【０１６６】
例えば、図１８のあしあと付与記録、図１９のハイパーリンク設置記録、図３９のトラックバック送信記録が入力として渡された場合、図４４に示すような注目行為データを間接コミュニケーション行動意義判定部３２に渡す。
【０１６７】
具体的には、レコード１０１〜１０６、２０１〜２０５、７０１〜７０５が図８のフローチャートの処理によって分析され、ステップ５０４の処理により、レコード１０１〜１０６、２０１〜２０５、７０１〜７０５がＸ（ｉ）として抽出・分析されて２２０１〜２２１６が作成される。
【０１６８】
なお、図４４のＩＤは説明のため便宜上設けた値である。また、図４４の元ＩＤは、分析に利用した図１８、図１９、図３９の関連レコードのＩＤを示しており、説明のため便宜上設けた値である。
【０１６９】
例えば、図２０のＲＳＳフィード登録記録、図２１のソーシャルネットワーク友人登録記録が入力として渡された場合、図２９に示すような注目行為データをデータ記憶部３８に格納する。
【０１７０】
具体的には、レコード３０１〜３０５、４０１〜４０５が図８のフローチャートの処理によって分析され、ステップ５０４の処理により、レコード３０１〜３０５、４０１〜４０５がＸ（ｉ）として抽出・分析されて１６０１〜１６１０が作成される。
【０１７１】
なお、図２９のＩＤは説明のため便宜上設けた値である。また、図２９の元ＩＤは、分析に利用した図２０，２１の関連レコードのＩＤを示しており、説明のため便宜上設けた値である。
【０１７２】
＜注目体験行為判定部＞
注目体験行為判定部３６は、間接コミュニケーション行動意義判定部３２から渡された間接コミュニケーション行動記録群について、各間接コミュニケーション行動記録に関連付けられた、間接コミュニケーション行動具体種別、間接コミュニケーション行動実行者、間接コミュニケーション行動対象を、図９に示すフローチャートの処理に基づいて分析し、各間接コミュニケーション行動が共通体験行動に該当するか判定を行い、共通体験行為に該当する間接コミュニケーション行動に関する情報を共通体験行為データとしてデータ記憶部３８に格納する。
【０１７３】
例えば、図１８のあしあと付与記録、図１９のハイパーリンク設置記録、図３９のトラックバック送信記録が入力として渡された場合、図４５に示すような共通体験行為データをデータ記憶部３８に格納する。
【０１７４】
具体的には、レコード１０１〜１０６、２０１〜２０５、７０１〜７０５が図９のフローチャートの処理によって分析され、ステップ６０５の処理により、レコード（１０１，１０２，１０３）、（１０４，１０６）、（２０１，２０２）、（７０１，７０２）がGroupＸ（ｉ）として抽出され、ステップ６０６により、レコード（１０１，１０２，１０３）、（２０１，２０２）、（７０１，７０２）が分析対象のGroupＸ（ｉ）として残り、ステップ６０７により、レコード（１０１，１０２，１０３）から２３０１、レコード（２０１，２０２）から２３０２、レコード（７０１，７０２）から２３０３が作成される。
【０１７５】
なお、図４５のＩＤは説明のため便宜上設けた値である。また、図４５の元ＩＤは、分析に利用した図１８、図１９、図３９の関連レコードのＩＤを示しており、説明のため便宜上設けた値である。
【０１７６】
例えば、図２０のＲＳＳフィード登録記録、図２１のソーシャルネットワーク友人登録記録が入力として渡された場合、図３１に示すような共通体験行為データをデータ記憶部３８に渡す。
【０１７７】
具体的には、レコード３０１〜３０５、４０１〜４０５が図８のフローチャートの処理によって分析され、ステップ６０５の処理により、レコード（３０１，３０２，３０３）、（４０１，４０２，４０３）がGroupＸ（ｉ）として抽出され、ステップ６０７により、レコード（３０１，３０２，３０３）から１７０１、レコード（４０１，４０２，４０３）から１７０２が作成される。
【０１７８】
なお、図３１のＩＤは説明のため便宜上設けた値である。また、図３１の元ＩＤは、分析に利用した図２０、図２１の関連レコードのＩＤを示しており、説明のため便宜上設けた値である。
【０１７９】
例えば、図２２のオンライン共同執筆文書編集記録、図２３のソーシャルネットワーク内コミュニティ参加記録が入力として渡された場合、図３２に示すような共通体験行為データをデータ記憶部３８に格納する。
【０１８０】
具体的には、レコード５０１〜５０５、６０１〜６０５が図９のフローチャートの処理によって分析され、ステップ６０５の処理により、レコード（５０１，５０２，５０４，５０６）、（５０３，５０５）、（６０１，６０２，６０４）、（６０３，６０５）がGroupＸ（ｉ）として抽出され、ステップ６０６の条件により、レコード（５０１，５０２，５０４，５０６）、（６０１，６０２，６０４）、（６０３，６０５）が分析対象のGroupＸ（ｉ）として残り、ステップ６０７の処理によりレコード（５０１，５０２，５０４（または５０６））から１８０１、レコード（６０１，６０２，６０４）から１８０２、レコード（６０３，６０５）から１８０３が作成される。
【０１８１】
なお、図３２のＩＤは説明のため便宜上設けた値である。また、図３２の元ＩＤは、分析に利用した図２２、図２３の関連レコードのＩＤを示しており、説明のため便宜上設けた値である。
【０１８２】
上記の処理により、間接コミュニケーション行動意義判定部３２は、データ記憶部３８から、反応行為判定部３３、返答行為判定部３４、注目行為判定部３５、共通体験行為判定部３６から出力された各データを取得する。
【０１８３】
＜出力部＞
出力部３７は、間接コミュニケーション行動意義判定部３２から渡された反応行為データ、返答行為データ、注目行為データ、共通体験行為データを間接コミュニケーション行動意義記憶部４３に渡す。
【０１８４】
＜間接コミュニケーション行動意義記憶部＞
出力部３７から渡された反応行為データ、返答行為データ、注目行為データ、共通体験行為データを、図４６、図４７、図４８、図４９のように問い合わせ可能な形態で保持する。
【０１８５】
問い合わせ端末４４は、前述の第２の実施の形態と同様である。
【０１８６】
なお、本実施の形態では、間接コミュニケーション行動具体種別があしあと付与、トラックバック送信、ソーシャルネットワーク友人登録である場合の事例として追加条件１）〜６）で示したが、その他の間接コミュニケーション行動具体種別についても、それぞれの間接コミュニケーション行動具体種別の性質に応じた追加条件を設けても構わない。
【０１８７】
また、上記の図３、図１６に示す行動意義判定装置の構成の動作をプログラムとして構築し、行動意義判定装置として利用されるコンピュータにインストールして実行させる、または、ネットワークを介して流通させることが可能である。
【０１８８】
また、構築されたプログラムをハードディスクや、フレキシブルディスク・ＣＤ−ＲＯＭ等の可搬記憶媒体に格納し、コンピュータにインストールする、または、配布することが可能である。
【０１８９】
なお、本発明は、上記の実施の形態に限定されることなく、特許請求の範囲内において種々変更・応用が可能である。
【産業上の利用可能性】
【０１９０】
本発明は、ネットワーク上の、ブログ記事閲覧、ソーシャルネットワーキングサービス等に適用可能である。
【符号の説明】
【０１９１】
１０  入力部
１１  間接コミュニケーション行動記録種別判別手段、間接コミュニケーション行動記録種別判定部
１２  間接コミュニケーション行動意義判定手段、間接コミュニケーション行動意義判定部
１３  反応行為判定部
１４  返答行為判定部
１５  注目行為判定部
１６  共通体験行為判定部
１７  出力手段、出力部
１８  データ記憶部
２０  間接コミュニケーション行動記録種別記憶部
３０  入力部
３１  間接コミュニケーション行動記録種別判定部
３２  間接コミュニケーション行動意義判定部
３３  反応行為判定部
３４  返答行為判定部
３５  注目行為判定部
３６  共通体験行為判定部
３７  出力部
３８  データ記憶部
４０  組織内ソーシャルネットワーキングサービス実現システム
４１  入力用データ抽出装置
４２  間接コミュニケーション行動記録種別記憶部
４３  間接コミュニケーション行動記録種別記憶部
４４  問い合わせ用端末
【図１】
2010238113.tif 000003
【図２】
2010238113.tif 000004
【図３】
2010238113.tif 000005
【図４】
2010238113.tif 000006
【図５】
2010238113.tif 000007
【図６】
2010238113.tif 000008
【図７】
2010238113.tif 000009
【図８】
2010238113.tif 000010
【図９】
2010238113.tif 000011
【図１０】
2010238113.tif 000012
【図１１】
2010238113.tif 000013
【図１２】
2010238113.tif 000014
【図１３】
2010238113.tif 000015
【図１４】
2010238113.tif 000016
【図１５】
2010238113.tif 000017
【図１６】
2010238113.tif 000018
【図１７】
2010238113.tif 000019
【図１８】
2010238113.tif 000020
【図１９】
2010238113.tif 000021
【図２０】
2010238113.tif 000022
【図２１】
2010238113.tif 000023
【図２２】
2010238113.tif 000024
【図２３】
2010238113.tif 000025
【図２４】
2010238113.tif 000026
【図２５】
2010238113.tif 000027
【図２６】
2010238113.tif 000028
【図２７】
2010238113.tif 000029
【図２８】
2010238113.tif 000030
【図２９】
2010238113.tif 000031
【図３０】
2010238113.tif 000032
【図３１】
2010238113.tif 000033
【図３２】
2010238113.tif 000034
【図３３】
2010238113.tif 000035
【図３４】
2010238113.tif 000036
【図３５】
2010238113.tif 000037
【図３６】
2010238113.tif 000038
【図３７】
2010238113.tif 000039
【図３８】
2010238113.tif 000040
【図３９】
2010238113.tif 000041
【図４０】
2010238113.tif 000042
【図４１】
2010238113.tif 000043
【図４２】
2010238113.tif 000044
【図４３】
2010238113.tif 000045
【図４４】
2010238113.tif 000046
【図４５】
2010238113.tif 000047
【図４６】
2010238113.tif 000048
【図４７】
2010238113.tif 000049
【図４８】
2010238113.tif 000050
【図４９】
2010238113.tif 000051